Podtech/llm-jp-corpus-v4-ja_patent huggingface dataset:
(57)【要約】【課題】従来の静止画のみのスライドショーでは表現できるものが限られる。静止画以外に動画、Ｗｅｂ画面、カメラ映像、ＡＲとの連動といったコンテンツを表示や、画面分割表示をすることにより、表現力を高めたスライドショーを提供できるようにすることを課題とする。【解決手段】本発明による、静止画画像、動画、Ｗｅｂ画面、カメラ映像、ＡＲとの連動を混在して表示させられるスライドショーシステムを利用する。【選択図】図１
2013098973.tif 000002
【特許請求の範囲】
【請求項１】
静止画画像、動画、Ｗｅｂ画面、カメラ映像、ＡＲとの連動をスライドショーとして表示するシステムのアイデアである。
【請求項２】
上記スライドショーは、静止画画像、動画、Ｗｅｂ画面、カメラ映像、ＡＲとの連動を混在して表示することが可能である。
【請求項３】
上記スライドショーは、画面を分割することができ、それぞれの部分に異なる静止画画像、動画、Ｗｅｂ画面、カメラ映像、ＡＲとの連動を表示することが可能である。
【請求項４】
上記スライドショーは、コンテンツごとに表示する時間を設定することができる。
【請求項５】
動画の表示については、ＡＶＩ、ＭＰＥＧ、ＭＰ４のファイルを再生することができる。
【請求項６】
Ｗｅｂ画面の表示については、インターネットを経由しブラウザにて画面を表示することができる。
【請求項７】
Ｗｅｂ画面の表示の際はセッションを保持することにより、認証ページでも初回にパスワードを入力すれば、それ以降にパスワードを入力することなく認証ページを表示できる。
【請求項８】
カメラ映像の表示については、撮影しているカメラの映像、画像をキャプチャし、ライブで表示できる。
【請求項９】
カメラ映像とＡＲ技術により、スライドショー中にＡＲ表示をすることができる。
【請求項１０】
サーバよりスライドショーをコンテンツとして配信されたものを、ダウンロードして表示することができる。
【請求項１１】
道路を撮影したカメラ映像より、サーバを介して交通量の情報をスライドショーコンテンツとして配信することができる。
【請求項１２】
空を撮影したカメラ映像より、サーバを介して天気と雲量の情報をスライドショーコンテンツとして配信することができる。
【発明の詳細な説明】
【技術分野】
【０００１】本発明はスライドショーにてコンテンツを表示する技術のアイデアに関する。
【技術背景】
【０００２】従来のスライドショーはＪＰＧ、ＰＮＧ、ＧＩＦ、ＢＭＰといった静止画の画像のみ表示していた。
【発明の開示】
【発明が解決しようとする課題】
【０００３】従来の静止画のみのスライドショーでは表現できるものが限られる。
本発明において、静止画以外に動画、Ｗｅｂ画面、カメラ映像といったコンテンツを表示や、画面分割表示をすることにより、表現力を高めたスライドショーを提供できるようにすることを課題とする。
【課題を解決するための手段】
【０００４】上記の課題を解決するために、本発明は以下の特徴を有する。
また、本システムの概略を図１に、スライドショー再生の概要を図２に示す。
第一に、表示するコンテンツの種類（静止画画像、動画、Ｗｅｂ画面、カメラ映像、ＡＲとの連動）に応じて、表示する方法を切り替えることができる。
第二に、表示する静止画画像、動画、Ｗｅｂ画面、カメラ映像、ＡＲとの連動ごとに、表示時間を指定できる。
第三に、動画は動画プレイヤーを表示することで動画を流せるようにする。
第四に、Ｗｅｂ画面はインターネットからブラウザを用いて最新の画面を取得することで表示する。
第五に、カメラ映像はカメラより映像をキャプチャし、動画プレイヤーで表示する。
第六に、ＡＲとの連動はカメラよりキャプチャした映像に対して、ＡＲを組み込んだ動画を動画プレイヤーで表示する。
第七に、インターネット経由でスライドショーコンテンツをダウンロードすることができる。
第八に、ダウンロードしたスライドショーコンテンツを再生することができる。
第九に、画面を分割した所に各コンテンツの種類に応じた表示を入れ込むことで、画面の分割表示をすることができる。
【本発明の効果】
【０００５】本発明により、スライドショーに静止画以外の動画、Ｗｅｂ画面、カメラ映像といったものを組み込める。
【発明を実施するための最良の形態】
【０００６】インターネットに接続可能なＰＣ、ディスプレイを用意する。
ＰＣにて本スライドショーアプリを起動後、任意のコンテンツを登録し、スライドショーの再生を行う。
【図面の簡単な説明】
【０００７】
【図１】本アイデアの概略図。
【図２】スライドショー再生の概要。
【図１】
2013098973.tif 000003
【図２】
2013098973.tif 000004
(57)【要約】【課題】本発明は、ファンを容易に電子装置に設置固定することができるファン固定装置を提供することを目的とする。【解決手段】本発明に係るファン固定装置は、電子装置にファンを固定するためのファン固定装置であって、電子装置の底板と、底板上に垂直に設置され且つ互いに対向する２つの固定板と、ファンを収納するフレームと、を備え、前記２つの固定板上には、２つの通風孔がそれぞれ対向して設けられ、通風孔の両側から、対向する固定板に向けて垂直に、２つの当止片がそれぞれ設置され、前記フレームは、対向する２つの側板と、前記２つの側板の両側端から垂直に連接する２つの端板と、を備え、各々の側板の上端には、上方に向けて延伸し且つ前記ファンの上面に当止する少なくとも１つの固定片が形成され、フレームは、前記２つの固定板の間に位置する一方、前記フレームの両端はそれぞれ前記通風孔の両側の２つの当止片の間に固定される。【選択図】図１
2013098531.tif 000002
【特許請求の範囲】
【請求項１】
電子装置にファンを固定するためのファン固定装置であって、
電子装置の底板と、
前記底板上に垂直に設置され且つ互いに対向する２つの固定板と、
前記ファンを収納するフレームと、
を備え、
前記２つの固定板上には、２つの通風孔がそれぞれ対向して設けられ、前記通風孔の両側から、対向する固定板に向けて垂直に、２つの当止片がそれぞれ設置され、
前記フレームは、対向する２つの側板と、前記２つの側板の両側端から垂直に連接する２つの端板と、を備え、各々の側板の上端には、上方に向けて延伸し且つ前記ファンの上面に当止する少なくとも１つの固定片が形成され、前記フレームは、前記２つの固定板の間に位置する一方、前記フレームの両端はそれぞれ前記通風孔の両側の２つの当止片の間に固定されることを特徴とするファン固定装置。
【請求項２】
前記２つの端板上には、それぞれ１つの通風孔が設置され、前記２つの端板の上端には、それぞれ該２つの端板に対して垂直に、且つ互いに離れる方向に向かって延伸する取手が形成されていることを特徴とする請求項１に記載のファン固定装置。
【請求項３】
前記２つの側板の内側の下端部それぞれには、前記ファンを支持する支持部が設置されていることを特徴とする請求項１または２に記載のファン固定装置。
【請求項４】
前記フレームの固定片の上端は、内側に向けて傾斜することを特徴とする請求項１から３のいずれか一項に記載のファン固定装置。
【発明の詳細な説明】
【技術分野】
【０００１】
本発明は、ファン固定装置に関するものである。
【背景技術】
【０００２】
従来の技術において、ファンをパソコンなどのような電子装置に設置固定するには、ネジ等を使用するのが一般的であるが、その操作は繁雑で且つ操作時間が長かった。
【発明の概要】
【発明が解決しようとする課題】
【０００３】
本発明の目的は、前記課題を解決し、ファンを容易に電子装置に設置固定することができるファン固定装置を提供することである。
【課題を解決するための手段】
【０００４】
上記目的を達成するために、本発明に係るファン固定装置は、電子装置の底板と、前記底板上に該底板に対して垂直に設置され且つ互いに対向する２つの固定板と、前記ファンを収納する１つのフレームと、を備え、前記２つの固定板上には、２つの通風孔がそれぞれ対向して設けられ、前記通風孔の両側から、対向する固定板に向かって、２つの当止片がそれぞれ設置され、前記フレームは対向する２つの側板と、前記２つの側板の両側端から垂直に連接する２つの端板と、を備え、各々の側板の上端からは、少なくとも１つの固定片が上方に向けて延伸し且つ前記ファンの上面に当止し、前記フレームは、互いに対向する前記２つの固定板の間且つ前記当止片の間に収容される。
【発明の効果】
【０００５】
本発明に係るファン固定装置は、ファンがフレーム内に収納され、且つ前記フレームが底板上に設置された２つの固定板の間に位置する一方、前記フレームの両端がそれぞれ通風孔の両側の２つの当止片の間に固定されることによって、前記ファンを電子装置内に安定的に固定できるため、ファンの装着が容易であり、且つ装着時間が短い。
【図面の簡単な説明】
【０００６】
【図１】本発明の実施形態に係るファン固定装置と複数のファンとの組立斜視図である。
【図２】図１に示すファン固定装置の１つのフレームと１つのファンとの拡大斜視図である。
【発明を実施するための形態】
【０００７】
本発明の実施形態に係るファン固定装置は、複数のファン１０を電子装置内に設置固定することに使用される。図１及び図２に示したように、前記ファン固定装置は、電子装置のケーシング４０と、複数のフレーム３０と、を備える。
【０００８】
前記ケーシング４０は、底板４２と、前記底板４２上に垂直に設置され且つ互いに対向する２つの固定板２２と、を備える。各々の前記固定板２２上には、複数の通風孔２４が間隔をあけて設けられている。また、各々の前記固定板２２に設けられた前記通風孔２４は互いに対向して位置する。各々の前記通風孔２４の両側には、前記固定板２２に対してそれぞれ垂直に、つまり、対向する前記固定板２２に向けて２つの当止片２６がそれぞれ設置されている。
【０００９】
前記フレーム３０は、対向する２つの側板３２と、前記２つの側板３２の両側端から、前記側板３２に垂直に連接された２つの端板３４と、を備える。前記２つの側板３２の上端には、それぞれ上方に向けて延伸する２つの固定片３２０が形成され、該固定片３２０の上端は、内側にやや傾斜した後、上方にそれぞれ延伸している。各々の前記側板３２の内側の下端部には、２つの支持部３２２がそれぞれ設置されている。各々の前記支持部３２２の上面は、対向する前記側板３２の下端部に向けて傾斜した弧形面である。前記２つの端板３４上には、それぞれ１つの通風孔３４０が設けられている。前記２つの端板３４の上端には、それぞれ該２つの端板３４に対して垂直に、且つ互いに離れる方向に向かって延伸する２つの取手３４２が形成されている。
【００１０】
前記ファン固定装置を組み立てる際、前記複数のファン１０を垂直方向で上から下へ前記複数のフレーム３０に別々に収容させる。この際、前記フレーム３０の各々の前記固定片３２０は、外側へ弾性変形される。次いで、各々のファン１０が、対応するフレーム３０の前記支持部３２２に当接されると、該フレーム３０の各々の前記固定片３２０は弾性復帰して、前記ファン１０の上部に当止され、前記ファン１０は前記フレーム３０内に安定的に収納される。次いで、各々の前記フレーム３０の前記取手３４２を持ち、前記ファン１０を前記２つの固定板２２の間及び対向する前記２つの通風孔２４の間に設置する。これにより、前記ファン１０は対応する前記当止片２６の間に挟まれる。また、この際、前記フレーム３０の前記２つの取手３４２は、対応する前記固定板２２の上端にそれぞれ当接される。
【符号の説明】
【００１１】
１０  ファン
２２  固定板
２４、３４０  通風孔
２６  当止片
３０  フレーム
３２  側板
３４  端板
３２０  固定片
３２２  支持部
３４２  取手
４０  ケーシング
４２  底板
【図１】
2013098531.tif 000003
【図２】
2013098531.tif 000004
(57)【要約】【課題】本発明は、液晶表示装置のバックパネルに関し、従来、液晶表示装置のバックパネルを白色シルクなどでコーティングして見栄えを良くし光使用率を向上させているが、これではコストが嵩むことが課題であって、それを解決することである。【解決手段】液晶表示装置におけるバックライトモジュールにおけるバックパネルであって、前記バックパネルにおける光源の光を液晶パネル側に反射する反射面が、白色の液晶ポリマーフィルム４によってカバーされている液晶表示装置のバックパネル１とする。【選択図】図１
2013065510.tif 000002
【特許請求の範囲】
【請求項１】
液晶表示装置におけるバックライトモジュールにおけるバックパネルであって、
前記バックパネルにおける光源の光を液晶パネル側に反射する反射面が、
白色の液晶ポリマーフィルムによってカバーされていること、
を特徴とする液晶表示装置のバックパネル。    
【請求項２】
請求項１に記載のバックパネルを光源の光反射部材に使用してなること、
を特徴とする液晶表示装置。
【発明の詳細な説明】
【技術分野】
【０００１】
本発明は、ＬＥＤ（Light  Emitting  Diode）や有機ＥＬ（Organic light-emitting diodes）による液晶表示装置における、バックライト装置のバックパネルに関するものである。
【背景技術】
【０００２】
従来、液晶表示装置において、液晶パネルを照射するＬＥＤ等の光源の背後から、前記液晶パネルをより明るくして光の使用率を高めるために、バックパネルが装備されている。例えば、透過型液晶パネルに対して光源ブロックＬＥＤから出射した表示光を、透過させるとともに一部を反射させる拡散プレートと、該拡散プレートからの表示光を拡散して液晶パネルに導光する拡散導光プレートと、前記拡散プレートで反射された表示光を前記拡散プレート側に反射させて光使用効率を高める反射シートとが設けられてなる液晶表示装置が知られている（特許文献１）。
【０００３】
また、バックライトの一部を湾曲させてなり、導光板と該導光板の背面に設置される反射シートと、前記導光板の前面に配置される配光制御シートと、前記導光板の少なくとも一端面に近接して配置される線状光源とを備えたエッジライト型バックライトが知られている（特許文献２）。
【先行技術文献】
【特許文献】
【０００４】
【特許文献１】特開２００５−３５２４２７号公報
【特許文献２】特開２００４−２８８５７０号公報
【発明の概要】
【発明が解決しようとする課題】
【０００５】
しかし、従来の液晶表示装置のバックパネルにおける反射シートは、その表面を白色シルクなどでコーティングしている。これは、ポリイミドの自然色（茶色）が、そのままでは見栄えしないからである。前記コーデキングの工程は、工期を長くするとともに、表示装置の製造コストが嵩む要因となる。そこで、本発明に係る液晶表示装置とそのバックパネルは、このような課題を解決するために提案されたものである。
【課題を解決するための手段】
【０００６】
本発明に係る液晶表示装置のバックパネルの上記課題を解決して目的を達成するための要旨は、液晶表示装置におけるバックライトモジュールにおけるバックパネルであって、
前記バックパネルにおける光源の光を液晶パネル側に反射する反射面が、白色の液晶ポリマーフィルムによってカバーされていることである。
また、本発明の液晶表示装置は、前記バックパネルを光源の光反射部材に使用してなることである。
【発明の効果】
【０００７】
本発明の液晶表示装置とそのバックパネルによれば、その反射面におけるカバーレイが、白色の液晶ポリマーフィルムを貼着してなるなので、見栄えや光使用率を高めるために着色したりコーティングしたりする必要が無くなり、コスト低減となると言う優れた効果を奏するものである。
【図面の簡単な説明】
【０００８】
【図１】本発明に係る液晶表示装置のバックパネル１の断面図である。
【図２】同バックパネル１を使用してなる液晶表示装置１０の一部断面図である。
【発明を実施するための形態】
【０００９】
本発明に係る液晶表示装置のバックパネル１は、図１に示すように、液晶パネルのバックライトモジュールにおいて、液晶ポリマーフィルムを使用するものである。
【実施例１】
【００１０】
前記バックパネル１は、ＬＥＤや有機ＥＬ等の光源の光を液晶パネルに反射させるものである。液晶パネルは、例えば、パソコンなどに使用される液晶モニタ、携帯電話などの液晶表示装置、オーディオ機器などのディスプレイ装置、街中の街頭などにおいてニュース若しくは広告を表示するディスプレイ装置などに使用されるものである。
【００１１】
前記バックパネル１は、その構成が図１に示すように、回路基板などのパネル基板２の片面側に接着層３を介して、液晶ポリマーフィルム４を表面に貼着している。
【００１２】
前記パネル基板２は、絶縁性のポリイミドなどである。前記接着層を形成する接着剤は例えば、エポキシ樹脂若しくはアクリル樹脂である。その厚さは約１０μｍ〜３０μｍである。
【００１３】
前記液晶ポリマーフィルム４は、耐熱性に優れており、光反射性に優れたものである。特に、光反射性から白色ＬＥＤ基板用途に適している。この液晶ポリマーフィルム４の厚さは、例えば、１２μｍ〜３６μｍである。
【００１４】
このようにしてなるバックパネル１は、液晶表示装置におけるＬＥＤや有機ＥＬなどの光源から照射された表示光を、液晶パネル側に反射するものである。図２に示すように、透過型液晶表示装置１０において、回路基板５に配設されたＬＥＤ（光源）６の光が、拡散導光プレート７を介して液晶パネル８を照射するとともに、バックライトモジュールにおいては、前記バックパネル１の表層にコーティングされた液晶ポリマーフィルム４によって、ＬＥＤ６からの光が反射され光反射率を高めるものである。なお、バックパネル１のパネル基板２を、前記回路基板５とすることもできる。
【００１５】
前記バックパネル１は、液晶ポリマーフィルム４を接着剤で基板などに接着するだけなので、パネル基板２に対する着色やコーティングの手間が掛からず、安価に製造することができる。
【産業上の利用可能性】
【００１６】
本発明に係るバックパネルは、光反射性に優れていいて絶縁性および高耐熱性があることから、照明用装置のバックパネルは勿論のこと、他の用途の光反射板として使用することができる。
【符号の説明】
【００１７】
１          バックパネル、
２          パネル基板、
３          接着層、
４          液晶ポリマーフィルム（ＬＣＰ）、
５          回路基板、
６          ＬＥＤ、
７          拡散導光プレート、
８          液晶パネル、
９          筐体、
１０        透過型液晶表示装置。
【図１】
2013065510.tif 000003
【図２】
2013065510.tif 000004
(57)【要約】【課題】従来の画鋲では、ポスター等を固定したときに時間の経過とともに画鋲の針部で固定物の穴が拡大して固定の効果がなくなった。このために押圧効果を上げることならびに画鋲の引き抜きを容易にすることを課題とする。【解決手段】この発明の画鋲頭部を弾力性のある素材を使用することにより図５のように画鋲頭部の縁で固定物を押圧する。また、画鋲頭部を弾力性のある素材を使用することにより画鋲の頭頂部を押すと図３、図４および図６のように画鋲頭部が反転する。【選択図】図５
2013067122.tif 000002
【特許請求の範囲】
【請求項１】
画鋲の頭部の素材を弾力性があるものにし、被固定物を押圧により固定できる画鋲。
【請求項２】
画鋲針部に螺旋を施し抜けにくくした画鋲。なお、螺旋の方向は左右は問わない。
【請求項３】
画鋲の頭頂部を押すことで頭部が反転し、その反転した本体の縁を指先で摘んで抜き取ることが可能な画鋲。
【発明の詳細な説明】
【技術分野】
【０００１】
本発明は、画鋲の頭部に弾力性をもたせ押圧による被固定物の圧着効果ならびに頭部を反転可能にして抜き取りを容易にした画鋲である。
【背景技術】
【０００２】
従来の画鋲では、掲示物を固定したときに時間の経過とともに掲示物の穴が拡大して固定の効果がなくなった。
【０００３】
また、従来の画鋲では頭部が平坦なものがあり、それを抜こうとしたときに指先で摘んで力を加えると爪の割れや指先を負傷することがあった。
【０００４】
そのために頭部を球状や筒状にした画鋲が考案されているがそのどれもが突起しているためにその突起部に接触することで画鋲が壁面等から抜け落ちて床等に散乱して危険であるだけでなく、掲示物が剥がれて見苦しい。
【発明の概要】
【発明が解決しようとする課題】
【０００５】
従来の画鋲では、掲示物を固定したときに時間の経過とともに画鋲の針部で掲示物の穴が拡大して固定の効果が減少したので押圧による固定を課題とした。また、画鋲を抜こうとしたときに爪や指先の負傷を防止するとともに抜きやすさに配慮した。さらに突起部を少なくして接触等により画鋲が壁面等から抜け落ちを防止することを課題とした。
【課題を解決するための手段】
【０００６】
この発明の画鋲頭部を弾力性のある素材を使用することにより図５のように画鋲頭部の縁で被固定物を押圧する。
【０００７】
また、画鋲頭部に弾力性のある素材を使用することにより画鋲の頭頂部を押すと図３、図４および図６のように画鋲頭部が反転する。
【発明の効果】
【０００８】
この発明は、従来の画鋲と違い頭部が図１、図２および図５のようにドーム型でかつその素材が弾力性であるために押圧力が強くポスター等の被固定物が風等で煽られても容易にずれることがないので被固定物の針穴が拡大することが防止できる。
【０００９】
さらに針部に螺旋を施すことによりって強度が増す。また、螺旋の方向については左右は問わない。
【００１０】
また、画鋲本体を引き抜く際にも本発明の頭部は弾力性の素材で出来ているために頭頂部を押すことで頭部が図３、図４および図６のように反転するために本発明の頭部縁を摘んで容易に抜くことができるので従来の画鋲のように指先や爪を傷付けることがなく安全でまた抜き取り用の道具等も必要がない。
【図面の簡単な説明】
【００１１】
【図１】画鋲の側面図である
【図２】画鋲側面の断面図である。
【図３】画鋲の頭部反転させた側面図である。
【図４】画鋲の頭部を反転させた側面の断面図である。
【図５】画鋲を使用したときの側面の断面図である。
【図６】画鋲を使用したときに頭部を反転させた側面の断面図である。
【図７】画鋲針部の断面斜視図である。
【図８】画鋲の底面図である
【産業上の利用可能性】
【００１２】
本発明は、構造上簡易であるために量産が可能でかつ、安全であるため産業上各方面での利用が見込まれる。
【図１】
2013067122.tif 000003
【図２】
2013067122.tif 000004
【図３】
2013067122.tif 000005
【図４】
2013067122.tif 000006
【図５】
2013067122.tif 000007
【図６】
2013067122.tif 000008
【図７】
2013067122.tif 000009
【図８】
2013067122.tif 000010
(57)【要約】【課題】  建築材料アルミサッシの引き違い窓用網戸に使用する施錠具はほとんど生産されておらず、従来のサッシへの加工が不要で取り付けが容易であり、構造的に安価にでき、外からの容易な侵入を防止するため、網戸枠とサッシを固定する機能をもたせる。【解決手段】  つっぱり棒の外面にロック具を取り付けることにより、サッシへの加工が不要で取り付けが容易であり、ロック具の形状を網戸枠の形状に近似した掛け爪形状であり、幅広の形状にしたことを特徴とする。【選択図】  図１
2013067998.tif 000002
【特許請求の範囲】
【請求項１】
伸縮され圧力が加わるつっぱり棒であって、外面にロック具を取り付け、引き違い窓用網戸枠を固定することを特徴とする網戸ロック。
【請求項２】
前記ロック具は引き違い窓用の網戸枠の形状に近似した掛け爪形状であることを特徴とする請求項１の網戸ロック。
【請求項３】
前記ロック具は幅広の形状であることを特徴とする請求項２の網戸ロック。
【発明の詳細な説明】
【技術分野】
【０００１】
本発明は、建築材料アルミサッシの引き違い窓用の網戸に使用する施錠具で、網戸ロックに関するものである。
【背景技術】
【０００２】
従来の網戸用施錠具は、ほとんど生産されておらず、特許文献より新規の機能を追加した網戸施錠工法はあるが、既存の網戸への無加工による施錠具は少なく、つっぱり棒方式の網戸用の施錠具はなかった。
つっぱり棒の機能は、カーテンを引っ掛けるための指示棒とか、簡易棚の支え用の棒であり、網戸の施錠具としての機能を有するわけではなかった。
【先行技術文献】
【特許文献】
【０００３】
【特許文献１】特開２０１０−１９００１３号公報
【特許文献２】特開２００３−７４２７１号公報
【発明の概要】
【発明が解決しようとする課題】
【０００４】
上記の如く、従来の建築材料アルミサッシの引き違い窓用網戸に使用する施錠具は網戸への無加工によるものは少なく、通気性を確保するため、網戸状態にするが無施錠な状態が見られる。
本発明品は外からの容易な侵入を防止するため、網戸枠とサッシを本品で固定することによって防犯向上できることにある。
サッシへの加工が不要なため、取り付けが容易であり構造的に安価にできる。
【課題を解決するための手段】
【０００５】
上述の目的を達成する本発明の網戸ロックは伸縮され圧力が加わるつっぱり棒であって、外面にロック具が取り付けられ、引き違い窓用の網戸枠を固定することを特徴とする。
【発明の効果】
【０００６】
以上説明したように本発明によれば、つっぱり棒の外面にロック具を取り付けることにより、サッシへの加工が不要で取り付けが容易であり、ロック具の形状を網戸枠の形状に近似した掛け爪形状であり、幅広形状によってロック性能の信頼性の向上となる。
また、構造的に安価にできる。
【図面の簡単な説明】
【０００７】
【図１】本発明の実施の形態を示した網戸ロックの外観の上面図である。
【図２】ロック具の詳細の側面図である。
【図３】ロック具の詳細の上面図である。
【図４】使用取り付けた上面図である。
【発明を実施するための形態】
【０００８】
以下、本発明の実施の形態を図１〜図４に基づいて詳細に説明する。
図１に示すように、本網戸ロックは伸縮され圧力が加わるつっぱり棒（１）であって、外面にロック具（２）が取り付けられたものである。
図３に示すように、ロック具（２）は網戸枠の形状に近似した掛け爪形状であり、かつ幅広の形状のロック具（４）であることを特徴とする。
図４の使用取り付け上面図より網戸（５）を固定するため、窓枠（６）とガラス戸枠（７）の間につっぱり棒（１）を圧力が加わった状態でセットし、ロック具（３）を網戸枠端部に合わせ固定する。
【産業上の利用可能性】
【０００９】
本発明は既存の建築材料アルミサッシの引き違い窓用網戸を有する一般消費者をターゲットとする生活用品の製造・販売する産業分野で利用することができる。
【符号の説明】
【００１０】
１  つっぱり棒
２  ロック具
３  ロック具
４  ロック具
５  網戸
６  窓枠
７  ガラス戸枠
【図１】
2013067998.tif 000003
【図２】
2013067998.tif 000004
【図３】
2013067998.tif 000005
【図４】
2013067998.tif 000006
(57)【要約】【課題】名刺、はがき、写真といった用紙類を収容するファイルには、複数のポケットを有するものが一般的である。それらのファイルの多くは閲覧時に用紙類全体が見られるようにポケットが並列に配置され、ポケットは決まったサイズに区画されているので収容する用紙類は特定される。本発明は、収容時の利便性を優先し、レシートのような長さの不定な用紙類を見やすく重ねて整理したり、領収書、保証書、明細書等のようにそれぞれ大きさが異なる用紙類を混在して収容できる融通の利くファイルを提供する。【解決手段】二つに折った長方形フィルムの折り目を底辺とし、その内側に、底辺から定間隔上方にずらした位置に次のフィルムの底辺がくるように重ね、以下同様にフィルムを重ねていくことで段違いに位置する複数のポケットを形成する。【選択図】図１
2013067067.tif 000002
【特許請求の範囲】
【請求項１】
レシート、領収書、名刺等の用紙類を収容するためのポケットを複数有するカバー付きのファイルであって、その構成が、二つに折った長方形フィルムの折り目を底辺とし、その内側に、底辺から定間隔上方にずらした位置に次のフィルムの底辺がくるように重ね、以下同様にフィルムを重ねていくことで段違いに位置する複数のポケットを形成することができ、このポケット集合体を、ファイルホルダーに綴じることのできる穴を設けたカバーと一体化することで体を成すことを特徴とする多重ファイル。
【発明の詳細な説明】
【技術分野】
【０００１】
この発明は、レシート、領収書、名刺、はがき等の用紙類を収容するファイルに関するものである。
【背景技術】
【０００２】
ファイルは職場、学校、家庭と日常生活の様々な場面において広く利用されている。また、用紙の種類に応じて、いろいろと工夫されたものも数多く出ている。
【先行技術文献】
【特許文献】
【０００３】
【特許文献１】特開２００２−２５４８７１
【特許文献２】実開平０７−０４３３７５
【発明の概要】
【発明が解決しようとする課題】
【０００４】
一般的によく使われるファイルはＡ４サイズの用紙類を入れる物で、Ｂ５、Ｂ４、Ａ３サイズの物もある。また、名刺、はがき、写真といった用紙類を小区画のポケットに収める物もある。それらのファイルに共通することは、ポケットに収める用紙類が決まっていることである。本発明は、レシートのようにその時々によって長さの違う用紙類を見やすく重ねて整理したり、領収書、保証書、明細書等のようにそれぞれ大きさが異なる用紙類を混在して収容できる、収容時に融通の利くファイルを提供する。
【課題を解決するための手段】
【０００５】
以下この発明の構成を説明する。
（イ）  二つに折った長方形の１番目のフィルム（４ａ）の折り目を底辺とし、その内側に、底辺から定間隔上方にずらした位置に、２番目のフィルム（４ｂ）の底辺がくるように重ねる。
（ロ）  以下同様に最後のフィルム（４ｎ）まで重ねていく。
（ハ）  重ねたフィルム（４ａ）から（４ｎ）を溶着部（３ｂ）で溶着する。
（ニ）  カバー（１）で（ハ）を挟み、溶着部（３ａ）で溶着する。
（ホ）  溶着部（３ｃ）及び（３ｄ）は任意とし、収容する用紙類に応じて適用する。
（へ）  カバー（１）にはとじ穴（２）を設け、ファイルホルダーに綴じることが可能である。
以上の構成により、段違いに位置する複数のポケット（５）を形成することができ、適当な位置のポケットを選択することで、不定形な用紙類の収容に対応できる融通の利いたファイルを提供することができる。
【発明の効果】
【０００６】
段違いに位置する複数のポケットを有することで、名刺、写真、はがき等の用紙類を段違いに重ねて収容できる。
また、レシートのように長さが不定のものでも、適当な段に位置するポケットを選ぶことで、見やすく整理することができる。
カバーを付けることで、用紙類のポケットからはみ出した部分を押さえ、脱落や乱雑になるのを防ぐことができる。
【図面の簡単な説明】
【０００７】
【図１】本発明の斜視図である。
【図２】本発明の構成図である。
【図３】本発明の使用例を表した図である。
【図４】本発明の使用例を表した図である。
【図５】本発明の使用例を表した図である。
【発明を実施するための形態】
【０００８】
本発明の構成は以下のようなものである。
（イ）  二つに折った長方形の１番目のフィルム（４ａ）の折り目を底辺とし、その内側に、底辺から定間隔上方にずらした位置に、２番目のフィルム（４ｂ）の底辺がくるように重ねる。
（ロ）  以下同様に最後のフィルム（４ｎ）まで重ねていく。
（ハ）  重ねたフィルム（４ａ）から（４ｎ）を溶着部（３ｂ）で溶着する。
（ニ）  カバー（１）で（ハ）を挟み、溶着部（３ａ）で溶着する。
（ホ）  溶着部（３ｃ）及び（３ｄ）は任意とし、収容する用紙類に応じて適用する。
（へ）  カバー（１）にはとじ穴（２）を設け、ファイルホルダーに綴じることが可能である。
以上の構成により、段違いに位置する複数のポケット（５）を有するファイルを形成することができる。
【０００９】
本発明のファイルは、市販されているファイルホルダーに綴じて使うことを前提にしているが、カバー（１）の強度を上げれば単独のファイルとしても使用できる。
ファイルを形成するフィルムは、利便性の良い透明色が推奨されるが、カバー（１）部のフィルムに関しては、半透明、色付きにすることで、用紙類の仕分け整理などに便利である。
【００１０】
図３はＡ４サイズのファイルを想定し、溶着部（３ｃ）,（３ｄ）で溶着した時に同じ幅のポケット（５）が３列形成された場合で、レシートを収容している例である。用紙類を収めるポケット（５）の位置を適当に選択することで、長さの違うレシートも見やすく収容できる。
名刺やポイントカード等にも適したポケットサイズである。
【００１１】
図４はＡ４サイズのファイルを想定し、溶着部（３ｃ）で溶着した時に異なる幅のポケット（５）が２列形成された場合で、領収書、保証書、銀行のＡＴＭ明細書のように大きさの異なる用紙類を混在させて収容している例である。
【００１２】
図５はＡ４サイズのファイルを想定し、溶着部（３ｃ）で溶着した時に同じ幅のポケット（５）が２列形成された場合で、ポイントカード、名刺、はがき、写真を重ねて収容している例である。写真等は重ねずに配置すれば全面を見ることもできる。
【符号の説明】
【００１３】
１  カバー
２  とじ穴
３ａ,３ｂ,３ｃ,３ｄ  溶着部
４ａ,４ｂ,４ｎ  フィルム
５  ポケット
【図１】
2013067067.tif 000003
【図２】
2013067067.tif 000004
【図３】
2013067067.tif 000005
【図４】
2013067067.tif 000006
【図５】
2013067067.tif 000007
(57)【要約】      （修正有）【課題】想定を上回る大津波に対する安全な避難場所の確保のための対策を提供する。【解決手段】浮上式津波避難塔は、津波の波高が搭の高さを上回っても搭上部の避難者が避難している収容室が海面上に浮上し、この収容室に接続し支柱部に内臓されているバイプが伸びて該避難搭の高さを高くする機能を備えているので該収容室が水没し津波により流失することはなく、想定を上回る高い波高に対応できる。当該避難塔は、低地の住宅近隣地に設置することができるので避難が容易である。津波救命いかだは、河口や港湾などに設置され、津波の波高に対応できるロープ等に接続しているので水没や流失を免れ、緊急防災業務に当たる関係者の簡易津波避難所として有効である。【選択図】図２
2013056651.tif 000002
【特許請求の範囲】
【請求項１】
津波避難者を収容できる円盤形のスペース（以下、「収容室」と呼ぶ）とこれを中央部で下から支える支柱部からなる浮上式津波避難塔において、津波の波高が該支柱部の高さを上回ったときに該収容室が海水の浮力により海面上に浮上し水没を免れることができるものとする。該収容室の浮上上昇にともない該収容室中央部と接続し支柱部内部に差し込まれているパイブが海面上昇分だけ支柱部から伸びて、海面上に浮かぶ該収容室を支えて津波による該収容室の流失を免れることができることを特徴とする。以上のごとく構成された津波避難用の施設である。
【請求項２】
津波避難者を内部に収容できる津波救命いかだ（以下、「いかだ」と呼ぶ）において、津波による転覆を防ぐためにその形状を球形乃至徳利形とし底部に重心を置くものとする。また、いかだの流失を防ぐためにその底部に地上と接続し津波の波高状況に応じて適宜伸縮可能であるローブ等を接続することを特徴とする津波避難用の装置である。
【発明の詳細な説明】
【技術分野】
【０００１】（１）浮上式津波避難塔は、想定を上回る高い波高の津波襲来の場合でも多くの人が身近に避難することができる安全避難施設である。
（２）津波救命いかだは、津波襲来時に高台や津波避難塔に避難できない少人数の人を対象とした簡易津波避難装置である。
【背景技術】
【０００２】津波常襲地帯では、従来、海岸に防潮堤が設置されていて、また、河口などにある水門を閉鎖し津波襲来に備え、一方で、海岸近くの人たちは高台に逃げるか高いビルに避難し、また、津波避難塔が設置してある地域では津波避難塔に避難し難を逃れることになっている。
【発明の概要】
【０００３】（１）この浮上式津波避難塔（以下、「避難塔」と呼ぶ）は、円盤形をした上部の避難者を収容するスペース（以下、「収容室」と呼ぶ）とこれを支える下部の支柱部からなり、設置時の当該避難搭の高さを上回る波高の高い津波の襲来で当該収容室は海水による浮力により支柱部から分離上昇し海面上に浮上することにより水没を免れる。該収容室の中央にはパイブが取り付けられていてバイプは支柱部内の底部にまで達し、このパイプにより該収容室が津波で流失することを防ぐものとする。
（２）この津波救命いかだ（以下、「いかだ」と呼ぶ）は、転覆を免れるために下部に重心のある密閉される球形乃至徳利形体とし、内部に人が避難することができ、津波襲来にともない海面に浮上する。設置場所と当該いかだは津波による流失防止のロープ等で接続されている。
【発明が解決しようとする課題】
【０００４】（１）三陸一帯を襲った東日本大震災の想定外といわれた大津波で海岸に設置した防潮堤が破壊され、津波が防潮堤などを乗り越えて襲いかかり人家などすべてを押し流し、避難用施設が水没したり、また、避難用施設が遠かったりして逃げ遅れ多くの犠牲者が出て今後もその恐れがある。
（２）過去に東南海地震や南海地震など大津波による被害が出ている西日本各地には津波避難塔が設置されているものの塔の高さが十分でなく想定外の高い波高で水没する不安を抱え津波避難塔の設置基準の見直しや建て替えの動きが出ている。
（３）東日本大震災の際に岩手県釜石市で水門の閉鎖作業にあたった消防団員が津波にのまれて犠牲になったが、各地の海岸や港湾、河口などでは今後、同じような津波が起きたときに津波の危険に身をさらして緊急防災業務などに当たる消防や警察などの関係者は身近なところにすぐに避難できる場所がない。
【課題を解決するための手段】
【０００５】  この発明は、その欠点をおぎなうために考え出されたものである。
（１）該避難塔は、津波の波高が搭の高さを上回った場合、該収容室が海面上に浮上し、該収容室に接続し支柱部に内蔵されているバイプが伸びて避難搭の高さを高くする機能を備えているため、該収容室が水没し流失することもなく、想定を上回る高い波高に対応できる。
（２）該避難塔は、低地の人々の身近な住宅近隣地に設置することができる。
（３）該いかだは、小型で軽量なため少人数の簡易津波避難装置として河口の水門近くや港湾などの施設やビルの屋上に設置することができる。
【発明の効果】
【０００６】（１）該避難塔は、海岸部の高台などに設置され、従来の津波避難塔としての役割を果たすだけでなく、想定を上回る波高の高い津波に襲われても上記［０００５］（１）の機能を備えているので該収容室が水没し流失することもなく避難者の安全を保つことが可能である。
（２）該避難塔は、低地の住宅近隣地に設置することで、老人や幼児の迅速な避難が可能になる。
（３）該いかだは、津波の危険性の最も高い海岸や河口、港湾の施設やビルの屋上に設置することで、これら危険箇所での震災直後の緊急防災業務に携わる消防や警察など関係者の緊急津波避難所として利用できる。
（４）該いかだは、車両に積載して移動することが可能で、海岸や河口、港湾に流失防止のロープ等の設置場所があれば、該いかだのロープ等をその都度接続することによって移動式津波救命いかだとして活用できる。
【図面の簡単な説明】
【０００７】
【図１】は、該避難塔を横から見た全体の説明図。
【図２】は、津波に襲われ該収容室が浮上した避難塔の横から見た全体の説明図。
【図３】は、海岸の施設に設置された球形の該いかだの説明図。
【図４】は、津波に襲われ浮上した該いかだの説明図。
【図１】
2013056651.tif 000003
【図２】
2013056651.tif 000004
【図３】
2013056651.tif 000005
【図４】
2013056651.tif 000006
(57)【要約】【課題】アクセルとブレーキの踏み間違えによる深刻な事故への対策を行う。【解決手段】自動車のアクセルが過度に強く踏み込まれることによってブレーキをかけるようにする。【選択図】図１
2013056653.tif 000002
【特許請求の範囲】
【請求項１】
自動車のアクセルが過度に強く踏み込まれることによってブレーキをかける安全装置。
【発明の詳細な説明】
【技術分野】
【０００１】  この発明は自動車の衝突防止に関する技術であり、アクセルとブレーキに関するものである。
【背景技術】
【０００２】  レーダーなどを用いた自動車の衝突防止に関する技術があるが、それとは別にアクセルとブレーキの踏み間違えによる深刻なヒューマンエラーへの対策を行う。
【発明が解決しようとする課題】
【０００３】  アクセルとブレーキを踏み間違える自動車事故が頻発している。この事故では、運転者はブレーキを踏んでいると思い込んでいるが、実際はアクセルを踏んでおり、自動車が加速すると減速させるために更に強く踏み込むことになり、自動車は更に加速し、運転者はパニックに陥り、止まるためには何かに衝突するしかなく深刻な自動車事故になる。
このようなヒューマンエラーは実際に頻繁に起こっているのであり、技術的に解決することが望まれる。
【課題を解決するための手段】
【０００４】  パニックプレーキは通常のブレーキ操作の数倍の力で強く踏み込まれる。アクセルを踏み込む際には通常は強い力で踏み込むことはないが、アクセルとブレーキの踏み間違いにより、パニックブレーキを踏んでいるようにアクセルが踏まれると通常のアクセル操作の数倍の力でアクセルは踏み込まれる。
このように過度の力でアクセスが踏み込まれた場合に、加速力をカットし、ブレーキをかけるようにすれば、自動車は減速されることになり、やがて停止する。
アクセルを通常の力で操作する場合はブレーキがかかることはなく、通常のアクセル操作と同様に運転者は違和感なく運転できる。この機構を設けたことで何らかの危険要因が増えることはない。この機構はパニック時の非常時用のものである。
【発明の効果】
【０００５】  本発明の機構が無ければアクセルとブレーキの踏み間違いは重大事故になることが避けられないが、本発明の機構が有れば重大事故になる可能性は低くなり、単に冷やっとしたぐらいで収まる可能性が高い。運転者や周囲の人命を救うことにもなる。
【発明を実施するための最良の形態】
【０００６】  本発明は形状について規定するものではない。
アクセルが過度に強く踏み込まれブレーキがかかった後、アクセルペダルを離した際には加速力は働かないようにすべきである。アクセルが完全に戻った後に再び踏み込まれる場合は通常の加速を行うようにすべきである。
通常の力とパニック時の力が加わった場合を明確に区別するためにブレーキがかかる前段階はバネ等の強い抗力を持たせるべきである。
アクセルが過度に強く踏み込まれることによるブレーキは既にある油圧系統等を流用することで大きなコスト増加要因にはならない。
【実施例】
【０００７】  以下、本発明の実施の形態について説明する。
（イ）アクセルペダル踏み込み量（１）を増加させると加速力（２）が働き自動車は通常の加速を行い通常領域（４）で通常のアクセル操作になる。
（ロ）アクセルとブレーキの踏み間違いにより、過度の力でアクセルが踏み込まれるとアクセルペダル踏み込み量（１）は非常領域（５）に入り、加速力（２）がカットされ、ブレーキがかかることにより減速力（３）が働き、やがて自動車は停止する。
【産業上の利用可能性】
【０００８】  自動車メーカーにおいて、より安全な自動車を提供することができる。運転者の操作ミスによる事故が自動車の欠陥であると濡れ衣を着せられることがなくなる。
【図面の簡単な説明】
【０００９】
【図１】本発明の加速減速力の変化のグラフである。
【符号の説明】１  アクセルペダル踏み込み量    ２  加速力    ３  減速力
４  通常領域    ５  非常領域
【図１】
2013056653.tif 000003
(57)【要約】【課題】再使用可能なチューブ状容器の提供。【解決手段】一端に注出口を有するチューブ状の容器において、他端に内容物充填用の注入口を設け、該注入口より粘稠な補填用内容物を圧入すること特徴とする再使用可能なゲル状物の容器である。【選択図】  図１
2013056694.tif 000002
【特許請求の範囲】
【請求項１】
一端に注出口を有するチューブ状の容器において、他端に内容物充填用の注入口を設け、該注入口より粘稠な補填用内容物を圧入すること特徴とする再使用可能なゲル状物の容器
【発明の詳細な説明】
【技術分野】
【０００１】
本発明は再使用可能なゲル状物の容器に関し、特に内容物のゲル状物を使用後、再度ゲル状物を補填して容器を繰り返し使用できるようにした再使用可能なゲル状物の容器に関する。
【背景技術】
【０００２】
食品、歯磨剤、医薬品、化粧品、絵具、接着剤などのゲル状物はチューブ状の容器内に充填し、該チューブの一端にある注出口より容器の外側を押圧して内容物を搾り出して使用することが多い。そして、この容器はアルミ、スズ、鉛などの金属箔や耐気体透過性の優れたプラスチックシート或いはこれらの金属箔とプラスチックシートとの積層シート等の材質で構成されているため密封性がよく、内容物の保存性に優れている．そして、内容物を使い切った場合は直ちに廃棄されているが、この容器の価格は内容物の価格に比して比較的に高価なものが多いので直ちに廃棄することは勿体ないばかりでなく、環境上の問題も生じる。他方、例えば洗剤等の液体物のある種のものは注出口にポンプを取り付けたボトル内に収納し、ポンプを通して少量づつ取り出して使用し、ボトル内の洗剤等の内容物を使い切ったときは環境上の問題からボトルを直ちに廃棄するのではなく、一旦注出口にあるポンプを外してボトル内に新たな内容物を詰替用包装袋から補填してボトルを再使用することが行われている。しかし、内容物が粘稠なゲル状物のチューブ状容器については注出口より内容物を補填することは困難であり、また、注出口の反対側である底部を開封して再度内容物を補填後、封緘することは煩瑣な操作となる等のため再使用されることは無かった。
【発明の概要】
【発明が解決しようとする課題】
【０００３】
そこで、本発明者は内容物が粘稠なゲル状の場合についても容器（チューブ）を再使用することについて種々検討した結果本発明を完成したもので、本発明は再使用可能なゲル状物の容器を提供するものである。
【課題を解決するための手段】
【０００４】
本発明の要旨は、一端に注出口を有するチューブ状の容器において、他端に着脱自在のキャップを有する内容物充填用注入口を設け、該注入口より粘稠な補填用内容物を圧入すること特徴とする再使用可能なゲル状物の容器である。
【発明の効果】
【０００５】
本発明に係るゲル状物を収納した一端に注出口を有するチューブ状の容器は、他端の注入口に着脱自在のキャップを設けたことによって容器内が空になったとき該注入口より容器の内部に補填用内容物を容易に補填することが出来るので、該容器を直ちに廃棄することはなく、何回も使用することができるので、経済的な問題のみならず、環境上の問題も解決することが出来る。
【図面の簡単な説明】
【０００６】
【図１】（ａ）本発明にかかる再使用可能なゲル状物の容器の斜視図（ｂ）該容器のキャップを外した状態の斜視図。
【図２】補填用容器の斜視図。
【図３】他の補填用容器の斜視図
【０００７】
本発明について更に具体的に説明する。
本発明において使用するチューブ状の容器は通常、食品、歯磨剤、医薬品、化粧品、絵具、接着剤等に使用されているチューブ状の容器でよいが復元性のある材質で構成されたものが好ましい。そして、該容器の他端に補填用注入口を設けたものである。該補填注入口の大きさとしては特に制限はなく、注出口と同程度もしくはより大きい方が内容物を補填しやすいので好ましく、チューブ状の容器の胴体部と同じ直径を有することが好ましい。そして、注入口は常時注出口と同じように取り外し可能なキャップなどで封緘しておく。
【実施例】
【０００８】
次に実施例として本発明に係る容器を図により具体的に説明する。
図１において、本発明における再使用可能なゲル状物の容器１はチューブ状胴体部２より成り、その一端に肩部３を設け、該肩部３の先端は注出口を有し、該注出口は注出口用キャップ４で封鎖されている。チューブ状容器１の胴体部２の他端は内容物を補填するための注入口を設け、該注入口は注出口と同様に注入口用キャップ５によって封緘されている。再使用可能なゲル状物の容器１の材質は通常チューブ状容器として使用されているものならばいずれでもよいが、特に復元性のあるプラスチック製品が好ましい。
【０００９】
一方、補填用の内容物を収納した容器６は図２に示すような底部を融着部７によって封緘し、上部は肩部８を介して注出口９を設け、該注出口９はキャップをもって封緘している。また、他の態様として、図３にあるようにラミネート袋に注出口用キャップをもうけた専用の詰替え容器であってもよい。
使用に際しては容器１の内容物を使用し、容器１内が空もしくは内容物が少なくなったときに、注入口キャップ５を外し補填用容器６の注出口９に容器１の注入口をねじ込むなどして接続し補填用容器の胴体部６を押圧してゲル状の内容物を容器１に補填する。
補填用の容器６は上部に比して底部を大きく末広がり状とすることによって自立性を持たせることが出来ると共に、補填用容器内のゲル状物に滞留部を生じることなく順次送り出すことが出来、また、容器１に補填用容器の内容物を圧入しやすいので好ましい。
【産業上の利用可能性】
【００１０】
本発明においては簡単な操作によってチューブ状の容器内に補填用容器よりゲル状の内容物を補填することによってチューブ状の容器を何回も使用できるので、経済的であると共に環境にもよい結果をもたらす。
【符号の説明】
【００１１】
１    本発明の容器          ２    チューブ状胴本体      ３    肩部      
４    注出口用キャップ      ５    注入口用キャップ      ６    補填用容器
７    補填用容器の底部      ８    補填用容器の肩部      ９    補填用容器のキャップ
【図１】
2013056694.tif 000003
【図２】
2013056694.tif 000004
【図３】
2013056694.tif 000005